(57)【特許請求の範囲】
【請求項１】
縦目地及び横目地を介して複数のタイル状凸部を配置して形成された建築板であって、
前記複数のタイル状凸部のうち全部又は一部のタイル状凸部の少なくとも一部に凹状又は凸状の曲面が形成され、
前記曲面に、下に凸又は上に凸となる複数本の曲線が平行に描画されていることを特徴とする
建築板。
【請求項２】
前記全部又は一部のタイル状凸部の中央部に前記曲面が形成され、
左端部及び右端部に平坦面が形成されていることを特徴とする
請求項１に記載の建築板。
【請求項３】
前記左端部及び前記右端部に直線が描画されていることを特徴とする
請求項２に記載の建築板。
【請求項４】
前記複数のタイル状凸部を千鳥状に配置していることを特徴とする
請求項１乃至３のいずれか一項に記載の建築板。
【発明の詳細な説明】
【技術分野】
【０００１】
本発明は、外壁材等の建築板に関するものである。
【背景技術】
【０００２】
従来、建築板として、長手方向に亘り複数の通し目地を有する外装材が知られている（例えば、特許文献１参照）。そしてこの外装材は、両端の目地が長手方向に亘る一つの直線状端部を有し、かつ不規則に拡縮した目地幅を有することにより、施工時の手間や目地ずれによる違和感を低減することができるようにしたものである。
【０００３】
また、建築板として、セメント系の無機質基材の表面にインク受理層を設け、このインク受理層の表面にインクジェット塗装を施して形成されるものが知られている（例えば、特許文献２参照）。そしてこの建築板は、インク受理層として、インク浸透性が異なる第一のインク受理層と第二のインク受理層とを積層して設け、かつ第二のインク受理層は第一のインク受理層の外面に部分的に設けて成ることにより、多様な意匠模様を形成することができるようにしたものである。
【先行技術文献】
【特許文献】
【０００４】
【特許文献１】特開２００３−１８４２６２号公報
【特許文献２】特開２００７−１７００１４号公報
【発明の概要】
【発明が解決しようとする課題】
【０００５】
しかし、特許文献１に記載の外装材では、施工時の手間や目地ずれによる違和感を低減することはできても、目地幅が不規則に拡縮しているため、意匠性の向上には限界がある。
【０００６】
また、特許文献２に記載の建築板では、インクジェット塗装を施すので意匠性には優れているが、隣り合う建築板間の突き合わせ部分を目立ちにくくするための工夫は特に凝らされていない。
【０００７】
また、建築板の板厚によっては、凹部と凸部の高低差を大きくすることが困難な場合があり、十分な凹凸感を表現することができず、この場合にも意匠性の向上に限界がある。
【０００８】
本発明は上記の点に鑑みてなされたものであり、上下左右に突き合わせて設置する場合に隣り合う建築板間の突き合わせ部分を目立ちにくくすることができると共に、凹凸感を強調することができ、意匠性も高めることができる建築板を提供することを目的とするものである。
【課題を解決するための手段】
【０００９】
本発明に係る建築板は、縦目地及び横目地を介して複数のタイル状凸部を配置して形成された建築板であって、前記複数のタイル状凸部の全部又は一部のタイル状凸部の少なくとも一部に凹状又は凸状の曲面が形成され、前記曲面に、下に凸又は上に凸となる複数本の曲線が平行に描画されていることを特徴とするものである。
【００１０】
前記建築板において、前記全部又は一部のタイル状凸部の中央部に前記曲面が形成され、左端部及び右端部に平坦面が形成されていることが好ましい。
【００１１】
前記建築板において、前記左端部及び前記右端部に直線が描画されていることが好ましい。
【００１２】
前記建築板において、前記複数のタイル状凸部を千鳥状に配置していることが好ましい。
【発明の効果】
【００１３】
本発明によれば、複数の建築板を上下左右に突き合わせて設置する場合に隣り合う建築板間の突き合わせ部分を目立ちにくくすることができると共に、凹凸感を強調することができ、意匠性も高めることができるものである。
【図面の簡単な説明】
【００１４】
【図１】本発明に係る建築板の塗装後の一例を示す正面図である。
【図２】本発明に係る建築板の塗装前の一例を示す正面図である。
【図３】図１のＡ−Ａ線断面図であり、（ａ）は各タイル状凸部の中央部に凹状の曲面が形成された建築板、（ｂ）は各タイル状凸部の中央部に凸状の曲面が形成された建築板である。
【発明を実施するための形態】
【００１５】
以下、本発明の実施の形態を説明する。
【００１６】
本発明に係る建築板１は、縦目地２及び横目地３を介して複数のタイル状凸部４を配置して形成されている。タイル状凸部４の配置方法は特に限定されるものではないが、建築板１間の突き合わせ部分をより目立ちにくくして意匠性もさらに高めることができる点で、図１や図２に示すようにタイル状凸部４は千鳥状に配置することが好ましい。この場合、各タイル状凸部４は通常四辺形であり、左右のタイル状凸部４が縦目地２を介して配置され、この縦目地２が上下のタイル状凸部４の略中央に位置するように、上下のタイル状凸部４が横目地３を介して配置される。このような建築板１は、所定の金型を用いてセメント系成形材料をプレス成形した後に養生硬化させることによって製造することができる。建築板１は通常四辺形であり、この建築板１の四辺には、図示省略しているが、合決（あいじゃくり）加工や実加工等が施され、複数の建築板１を上下左右に突き合わせて設置することができるようにしてある。
【００１７】
図１や図２に示すものでは、各タイル状凸部４は、中央部５とその両側の左端部８及び右端部９とで構成され、左端部８、中央部５、右端部９のそれぞれの横幅の比率が約１：２：１程度であるが、これに限定されるものではない。
【００１８】
各建築板１の左右両辺は、図１や図２において破線Ｂで示すように、上下複数の縦目地２を通ることが好ましい。あるいは、各建築板１の左右両辺は、図１や図２において破線Ｃで示すように、タイル状凸部４の中央部５とその両側の左端部８及び右端部９との境界線を通ることも好ましい。いずれの場合も、左右に隣り合う建築板１間の突き合わせ部分を目立ちにくくすることができる。また、各建築板１の上下両辺は、図１や図２において破線Ｄで示すように、横目地３を通ることが好ましい。この場合は、上下に隣り合う建築板１間の突き合わせ部分を目立ちにくくすることができる。
【００１９】
複数のタイル状凸部４のうち全部又は一部のタイル状凸部４に凹状又は凸状の曲面６が形成されている。この曲面６は、タイル状凸部４の少なくとも一部に形成されていればよく、タイル状凸部４の全体に形成されていてもよい。図１や図２に示すものは、全部のタイル状凸部４に凹状の曲面６ａが形成され、さらにこの凹状の曲面６ａがタイル状凸部４の一部である中央部５に形成されているものである。このように、全部のタイル状凸部４の中央部５に曲面６が形成され、各タイル状凸部４の左端部８及び右端部９に平坦面１０が形成されていることが好ましい。図３（ａ）に示すものでは、横方向（水平方向）の断面が下に凸の曲面となるような凹状の曲面６ａが形成されているが、凹状の曲面６ａはこれに限定されるものではない。また図３（ｂ）に示すものでは、横方向の断面が上に凸の曲面となるような凸状の曲面６ｂが形成されているが、凸状の曲面６ｂはこれに限定されるものではない。曲面６の曲率半径（Ｒ）も特に限定されない。以下では各タイル状凸部４の中央部５に図３（ａ）に示すような凹状の曲面６ａが形成された建築板１について説明する。
【００２０】
次に、養生硬化して得られた図２に示すような建築板１の表面を塗装する。塗装する色の属性（色相・明度・彩度）は特に限定されない。この塗装は、後述の曲線１１や直線１２を描画することを考慮すると、インクジェット印刷により行うことが好ましいが、その他の方法を使用して行ってもよい。インクジェット印刷により塗装を行う場合には、あらかじめ建築板１の表面にシーラー（プライマー）を塗布した後にインク受理層を形成する。そして、塗装するにあたっては、図１に示すように各タイル状凸部４の中央部５の曲面６に曲線１１の模様を描画する。この曲線１１は、図１に示すものでは、実線のような連続した曲線１１であるが、破線、点線、一点鎖線、二点鎖線のような不連続な曲線１１でもよい。ここで、各タイル状凸部４の中央部５に凹状の曲面６ａが形成されている場合には、図１に示すように建築板１を正面から見たときに、下に凸となるような複数本の曲線１１が平行に凹状の曲面６ａに描画されて曲線模様が形成されていることが好ましい。また図示省略しているが、各タイル状凸部４の中央部５に凸状の曲面６ｂが形成されている場合には、建築板１を正面から見たときに、上に凸となるような複数本の曲線１１が平行に凸状の曲面６ｂに描画されて曲線模様が形成されていることが好ましい。
【００２１】
そして、図１において破線Ｂで示すように、各建築板１の左右両辺が、上下複数の縦目地２を通る場合には、複数の建築板１を左右に突き合わせて設置するときに、隣り合う建築板１間の突き合わせ部分は、縦目地２と区別がつきにくくなるので目立ちにくくすることができる。このとき縦目地２の上下に位置するタイル状凸部４の中央部５は略中央で分断されている。しかし、この中央部５の曲面６には曲線１１の模様が描画されているので、複数の建築板１を左右に突き合わせて設置するときに、左右の曲線１１の模様が連続しているように見えて、隣り合う建築板１間の突き合わせ部分を目立ちにくくすることができる。このような効果は、曲線１１の本数を多く、各曲線１１の太さを細くして緻密にするほど高く得られるものであり、この場合には質感も表現することができる。
【００２２】
また、図１において破線Ｃで示すように、各建築板１の左右両辺が、タイル状凸部４の中央部５とその両側の左端部８及び右端部９との境界線を通る場合には、複数の建築板１を左右に突き合わせて設置するときに、隣り合う建築板１間の突き合わせ部分は、上記の境界線と区別がつきにくくなるので目立ちにくくすることができる。
【００２３】
また、図１において破線Ｄで示すように、各建築板１の上下両辺が、横目地３を通る場合には、複数の建築板１を上下に突き合わせて設置するときに、隣り合う建築板１間の突き合わせ部分は、横目地３と区別がつきにくくなるので目立ちにくくすることができる。
【００２４】
しかも、各タイル状凸部４の中央部５に形成された曲面６は三次元的であり、このような曲面６には二次元的な曲線１１の模様が描画されているので、３Ｄ擬似化を表現することができるなど凹凸感を強調することができ、意匠性も高めることができる。
【００２５】
さらに、各タイル状凸部４の左端部８及び右端部９の平坦面１０には直線１２の模様を描画することが好ましい。この直線１２は、図１に示すものでは、実線のような連続した直線１２であるが、破線、点線、一点鎖線、二点鎖線のような不連続な直線１２でもよい。ここで、図１に示すように建築板１を正面から見たときに、複数本の直線１２が横方向に平行に描画されて直線模様が形成されていることが好ましい。この場合には、三次元的な曲面６に描画された二次元的な曲線１１と、二次元的な平坦面１０に描画された一次元的な直線１２とが相俟って、凹凸感を強調することができ、意匠性をさらに高めることができる。なお、仮にタイル状凸部４の左端部８が分断されたり右端部９が分断されたりしても（各建築板１の左右両辺が図１の破線Ｂ及びＣの間を通る場合）、各タイル状凸部４の中央部５の曲面６には曲線１１の模様が描画され、左端部８及び右端部９の平坦面１０には直線１２の模様が描画されているので、複数の建築板１を左右に突き合わせて設置するときに、左右の曲線１１及び直線１２の模様がそれぞれ連続しているように見えて、隣り合う建築板１間の突き合わせ部分を目立ちにくくすることができる。このような効果は、曲線１１及び直線１２の本数を多く、各曲線１１及び直線１２の太さを細くして緻密にするほど高く得られるものであり、質感も表現することができる。
【００２６】
なお、本発明においては、整然とした千鳥状にタイル状凸部４を配置して形成された建築板１について説明したが、これに限定されるものではない。例えば、縦横様々なサイズのタイル状凸部４を任意に配置してもよいものである。また、タイル状凸部４として、その中央部５に凹状の曲面６ａ、左端部８及び右端部９に平坦面１０が形成されたものについて説明したが、これに限定されるものではない。例えば、凸状の曲面６ｂが形成されていてもよい。また、凹状又は凸状の曲面６が中央部５ではなく偏って形成されていてもよい。また、タイル状凸部４の全体が凹状又は凸状に形成されていてもよく、この場合、全体が平坦面１０で形成されたタイル状凸部４と組み合わせるようにしてもよい。
【符号の説明】
【００２７】
１  建築板
２  縦目地
３  横目地
４  タイル状凸部
５  中央部
６  曲面
８  左端部
９  右端部
１０  平坦面
１１  曲線
１２  直線
【図１】
0005869908.tif 000002
【図２】
0005869908.tif 000003
【図３】
0005869908.tif 000004